(57)【要約】【課題】傾斜板が設けられ、被処理水に混入する浮遊物の沈殿させることができ、さらに、貯留槽の傾斜板等の内部の点検・修理を安全・容易に行うことができる貯留槽の仕切構造の提供。【解決手段】上流側水路と下流側水路の間に設けられた貯留槽１１を、被処理水中を浮遊する異物の通過を許容するように上下層に仕切る貯留槽の仕切構造１であって、前記仕切構造１は、１対の傾斜板１３がＶ字状に傾斜して設けられ、さらに歩行部材２５が、前記傾斜板１３のＶ字状の谷部に設けられている。歩行部材２５は人が歩行可能であり、歩行部材２５には上層１８と下層１９を連通させる開口２６を有している。【選択図】　図１
2004105860.tif 000002
【特許請求の範囲】
【請求項１】
上流側水路と下流側水路の間に設けられた貯留槽を、被処理水中を浮遊する異物の通過を許容するように上下層に仕切る貯留槽の仕切構造であって、前記貯留槽の深さ方向中途部に設けられた傾斜板を備え、該傾斜板は水面に対して傾斜する傾斜面を上面側に有し、傾斜面の下部側には人が歩行可能な歩行部が設けられており、該歩行部には上層と下層を連通させる上下連通開口を有することを特徴とする貯留槽の仕切構造。
【請求項２】
歩行部は、傾斜板の下側側縁に沿って延びる長尺板状部材からなり、該部材は上下連通開口となる孔が形成されていることを特徴とする請求項１に記載の貯留槽の仕切構造。
【請求項３】
前記傾斜板を少なくとも２つ備え、該２つの傾斜板の傾斜面が反対方向に傾斜してＶ字状となるように配置されており、前記歩行部は、前記Ｖ字の谷部に位置している特徴とする請求項１又は２に記載の貯留槽の仕切構造。
【請求項４】
前記傾斜板を少なくとも２つ備え、該２つの傾斜板の傾斜面が同じ方向に傾斜して上下方向に配置されており、前記歩行部は該２つの傾斜板の間に位置していることを特徴とする請求項１〜３のいずれかに記載の貯留槽の仕切構造。
【請求項５】
歩行部の下側には山型支持部材が設けられ、歩行部は山型支持部材の上側で支持されていることを特徴とする請求項１〜４のいずれかに記載の貯留槽の仕切構造。
【請求項６】
歩行部の下側には集積部が設けられ、該集積部は、集積用開口と、該開口と接続する案内板を有しており、該案内板は、傾斜板の下側側縁に沿って延びる長尺状であって、集積用開口に向かって下側に傾斜していることを特徴とする請求項１〜５のいずれかに記載の貯留槽の仕切構造。
【請求項７】
複数の集積用開口が傾斜板の下側側縁に沿って配置されており、隣り合う一対の集積用開口の間の案内板は略山形状に構成されていることを特徴とする請求項６に記載の貯留槽の仕切構造。
【請求項８】
傾斜板が深さ方向に２枚以上並設されていることを特徴とする請求項１〜７のいずれかに記載の貯留槽の仕切構造。
【発明の詳細な説明】
【０００１】
【発明の属する技術分野】
本発明は、水処理施設に付随して設けられる貯留槽に関するものである。
【０００２】
【従来の技術】
下水処理施設などの水処理施設は、水路を介して集められた下水などの被処理水の浄化処理を行う施設である。これらの水処理施設の中には、その上流側に貯留槽を付設したものがある。
従来の貯留槽は、深さ１０ｍを越える大容量の槽であり、上流側水路から貯留槽に流入した被処理水が貯留されつつ、下流側水路から水処理施設へ向けて流出する構造を有している。
【０００３】
この貯留槽は、被処理水に混入する落ち葉や砂などの浮遊物を沈殿させて分離する沈殿槽としての機能を有する。また、集中豪雨などに伴って一時に大量の被処理水が水処理施設へ流れ込むことを防止するための緩衝槽としての役割も担っている。更に、貯留された雨水は防災などに用いることもでき、非常用水の貯留槽としての機能をも有するものである。
このように、多目的に機能する貯留槽は、近年、水処理施設に付設されることが多い。
【０００４】
しかし、このような貯留槽では、被処理水に混入する浮遊物を沈殿させる能力に問題があった。則ち、一旦沈殿した落ち葉や砂などが、上流側流入口から流入する被処理水の水流によって再び浮遊し、下流側水路から水処理施設側へ流出するような不具合が生じ易かった。
そして、図２７に示すような、貯留槽１００の深さ方向の途中に設けた仕切構造１０４が考えられている。また、図２８に示されるような、上流側水路からの入り口である上流側流入口６１が下側に位置する仕切構造１０４も考えられている。
【０００５】
【発明が解決しようとする課題】
貯留槽１００の仕切構造１０４は、複数の傾斜板１０３を有し、傾斜板１０３の上面の傾斜面５９は水平に対して傾斜している。そして、傾斜面５９の傾斜方向は、上流側流入口６１から下流側排出口６２に向かう方向、すなわち、被処理水の主流方向に対して平行である。さらに、１対の傾斜板１０３が反対方向に傾斜してＶ字状となり、前記Ｖ字の谷部では、傾斜板１０３同士が接触しておらず、開口１０６となっている。
【０００６】
そして、貯留槽１００では、被処理水が上流側流入口６１から流入すると、貯留槽１００内を通過して、下流側排出口６２から排出される。
また、被処理水中の浮遊物は、貯留槽１００内で流れる間に沈殿し、傾斜板１０３によって開口１０６に集められ、開口１０６から仕切構造１０４の下層部側へ移動する（図２７中の点線矢印）。そして、一旦沈殿した浮遊物は、傾斜板１０３によって上層部側へ移動しない。また、貯留槽１００の底には沈殿した異物などを外部に排出する排出路６４が形成されている。
さらに、図２８に示される貯留槽１００ａは、貯留槽１００と比較して、上流側流入口６１の位置のみが異なる構造であり、貯留槽１００と同様に浮遊物を沈殿させるものである。
【０００７】
傾斜板１０３の内部の点検・修理の際などには、貯留槽１００の中に入って行われている。しかし、前記したように貯留槽１００の深さは１０ｍ程度で深いため、深さ方向の途中に設けられた傾斜板１０３の点検・修理は難しく、危険であった。すなわち、上からロープなどに吊り下がり、または、貯留槽の下に置かれた梯子などに登って、点検等をするのでは、落下等の危険がある。また、傾斜板１０３上を歩行するのは、傾斜しているため、滑り落ちてしまう。
【０００８】
さらに、傾斜板１０３上の傾斜面５９や他の部分の構造を変更して、歩行できるようにするのは、浮遊物の下層部への沈殿を妨げてしまう。すなわち、傾斜面５９に水平部分等を設け、又は傾斜板１０３の傾斜角度を小さくして、水平に近づけたのでは、被処理水に混入する落ち葉や砂などの浮遊物が傾斜板１０３の表面上を下降しにくく、また、傾斜板上に浮遊物がたい積するおそれがあり、また、被処理水の浮遊物の分離効率が低下してしまう。
【０００９】
そこで、本発明は、被処理水に混入する浮遊物を沈殿させながら、貯留槽の傾斜板等の内部の点検・修理を容易に行うことができる貯留槽の仕切構造を提供することを課題とする。
【００１０】
【課題を解決するための手段】
そして、上記した目的を達成するための請求項１は、上流側水路と下流側水路の間に設けられた貯留槽を、被処理水中を浮遊する異物の通過を許容するように上下層に仕切る貯留槽の仕切構造であって、前記貯留槽の深さ方向中途部に設けられた傾斜板を備え、該傾斜板は水面に対して傾斜する傾斜面を上面側に有し、傾斜面の下部側には人が歩行可能な歩行部が設けられており、該歩行部には上層と下層を連通させる上下連通開口を有することを特徴とする貯留槽の仕切構造である。
【００１１】
請求項１に記載の発明によれば、深さ方向中途部に設けられた傾斜板を備え、該傾斜板は水面に対して傾斜する傾斜面を上面側に有し、傾斜面の下部側には人が歩行可能な歩行部が設けられている貯留槽の仕切構造であり、さらに歩行部には上下連通開口を有しているので、浮遊物の沈殿が可能であり、また歩行部によって歩行可能であるので、歩行部を歩行しながら点検・修理することができるので、安全である。
【００１２】
請求項２に記載の発明は、歩行部は、傾斜板の下側側縁に沿って延びる長尺板状部材からなり、該部材は上下連通開口となる孔が形成されていることを特徴とする請求項１に記載の貯留槽の仕切構造である。
【００１３】
請求項２に記載の発明によれば、歩行部は、傾斜板の下側側縁に沿って延びる長尺板状部材からなるので歩行しやすく、また、該部材は上下連通開口となる孔が形成されているので、浮遊物の沈殿を妨げることがない。
【００１４】
請求項３に記載の発明は、前記傾斜板を少なくとも２つ備え、該２つの傾斜板の傾斜面が反対方向に傾斜してＶ字状となるように配置されており、前記歩行部は、前記Ｖ字の谷部に位置している特徴とする請求項１又は２に記載の貯留槽の仕切構造である。
【００１５】
請求項３に記載の発明によれば、歩行部は、Ｖ字状に配置された傾斜板のＶ字の谷部に位置しているので、傾斜板の点検がしやすく、また、歩行部の左右が傾斜板であるので、歩行の際には安全である。
【００１６】
請求項４に記載の発明は、前記傾斜板を少なくとも２つ備え、該２つの傾斜板の傾斜面が同じ方向に傾斜して上下方向に配置されており、前記歩行部は該２つの傾斜板の間に位置していることを特徴とする請求項１〜３のいずれかに記載の貯留槽の仕切構造である。
【００１７】
請求項４に記載の発明によれば、歩行部は、傾斜面が同じ方向に傾斜して上下方向に配置された２つの傾斜板の間に位置しているので、傾斜面の中途部分での歩行が可能となり、点検が容易となる。また、歩行部に上下連通開口を設けることにより、傾斜面の中途部分で沈殿物の排出がしやすくなり、水の流れが分散することができる。
【００１８】
請求項５に記載の発明は、歩行部の下側には山型支持部材が設けられ、歩行部は山型支持部材の上側で支持されていることを特徴とする請求項１〜４のいずれかに記載の貯留槽の仕切構造である。
ここで、山型支持部材は上側が凸状となるように傾斜している部材であり、断面形状が、略「へ」字状のものや三角状のものが含まれる。
【００１９】
請求項５に記載の発明によれば、歩行部は山型支持部材によって支持されているので、通過する浮遊物が、山型支持部材の上側に堆積することがない。
【００２０】
請求項６の発明は、歩行部の下側には集積部が設けられ、該集積部は、集積用開口と、該開口と接続する案内板を有しており、該案内板は、傾斜板の下側側縁に沿って延びる長尺状であって、集積用開口に向かって下側に傾斜していることを特徴とする請求項１〜５のいずれかに記載の貯留槽の仕切構造である。
【００２１】
請求項６に記載の発明によれば、歩行部の下側には集積部が設けられ、該集積部は、集積用開口と、該開口と接続する案内板を有しており、該案内板は、傾斜板の下側側縁に沿って延びる長尺状であって、集積用開口に向かって下側に傾斜しているので、浮遊物が沈殿する際に、集積部材によって集積用開口に集めることができる。
【００２２】
請求項７に記載の発明は、複数の集積用開口が傾斜板の下側側縁に沿って配置されており、隣り合う一対の集積用開口の間の案内板は略山形状に構成されていることを特徴とする請求項６に記載の貯留槽の仕切構造である。
【００２３】
請求項７に記載の発明によれば、複数の集積用開口が傾斜板の下側側縁に沿って配置されており、隣り合う一対の集積用開口の間の案内板は略山形状に構成されているので、容易に沈殿した浮遊物を集積用開口に集めることができる。
【００２４】
請求項８の発明は、傾斜板が深さ方向に２枚以上並設されていることを特徴とする請求項１〜７のいずれかに記載の貯留槽の仕切構造である。
【００２５】
請求項８に記載の発明によれば、傾斜板が深さ方向に２枚以上並設されているので、浮遊物の沈殿がより効率的となる。
【００２６】
【発明の実施の形態】
以下さらに本発明の具体的実施例について説明する。図１は、本発明の第１の実施形態における仕切構造を拡大した斜視図である。図２は本発明の第１の実施形態における仕切構造の上側から見た正面図である。図３は、図２におけるＡ−Ａ面での断面図である。図４は、本発明の第１の実施形態における仕切構造の横断面図である。図５は、本発明の第１の実施形態における仕切構造の他の横断面図である。図６は本発明の第１の実施形態における支持部材の一部を示した斜視図である。図７は、本発明の傾斜板の正面図である。図８は、本発明の第１の実施形態における仕切構造の歩行部材の正面図である。図９は、本発明の第２実施形態における仕切構造の上側から見た正面図である。図１０は、図９におけるＡ−Ａ面での断面図である。図１１は、本発明の第２の実施形態における仕切構造の横断面図である。図１２は本発明の第２の実施形態における支持部材及び集積部材の一部を示した斜視図である。図１３は、本発明の第３実施形態における仕切構造の上側から見た正面図である。図１４は、図１３におけるＡ−Ａ面での断面図である。図１５は、本発明の第３の実施形態における仕切構造の横断面図である。図１６は、本発明の第４実施形態における仕切構造の上側から見た正面図である。図１７は、図１６におけるＡ−Ａ面での断面図である。図１８は、本発明の第４の実施形態における仕切構造の横断面図である。図１９は、本発明の第４の実施形態の変形例における仕切構造の横断面図である。図２０は、本発明の第４の実施形態の変形例における仕切構造の歩行部材と山型支持部材を示した斜視図である。図２１は、本発明の第５の実施形態における仕切構造の横断面図である。図２２は、本発明の第６の実施形態における仕切構造の横断面図である。図２３は、本発明の第７の実施形態における仕切構造の横断面図である。図２４は、本発明の第８の実施形態における仕切構造の横断面図である。図２５は、本発明の第９の実施形態における仕切構造の横断面図である。図２６は、本発明の第１０の実施形態における仕切構造の横断面図である。
【００２７】
本発明の第１の実施形態における仕切構造１を有する貯留槽１１は、図２７に示された従来技術の貯留槽１００と比べて仕切構造１０４以外は同様である。
すなわち、貯留槽１１は、上流側水路につながって下水などの被処理水が流入する上流側流入口６１と、下流側水路につながって被処理水を水処理施設に供給する下流側水路６２との間に設けられており、大量の水を貯めることができるように所定深さに形成されている。さらに、貯留槽１１の底には、沈殿した異物などを外部に排出する排出路６４が形成されている。そして、仕切構造１は貯留槽１１を上層１８と下層１９に仕切っている。また、仕切構造１は、上流側流入口６１と下流側排出口６２よりも下方に設けられている。
なお、本明細書では、上流側流入口６１から下流側排出口６２に向かう方向を主流方向、主流方向と垂直であって水平な方向を左右方向、主流方向及び左右方向に垂直な方向を深さ方向として説明する。
【００２８】
本実施形態における仕切構造１は、図１〜４に示されている。
図１は、本発明の第１の実施形態に係る貯留槽の仕切構造１を、部分的に拡大して図示したものである。
本実施形態の仕切構造１は、傾斜板１３と、板状の歩行部材２５を有している。傾斜板１３及び歩行部材２５は、支持部材２２によって固定されている。また、支持部材２２は、貯留槽１１内に設けられている複数の梁２０の上側に設置されている。
本発明の実施形態においては、すべて、上流側流入口６１の位置が仕切構造１よりも上方のものを採用しているが、図２８に示した貯留槽１００ａのように、上流側流入口６１の位置が仕切構造１よりも下方であってもよい。
【００２９】
そして、本実施形態の仕切構造１の傾斜板１３と歩行部材２５の配置は、以下の通りである。
傾斜板１３は、貯留槽１１の深さ方向中途部に設けられ、貯留槽１１を上層１８と下層１９に仕切っている。各傾斜板１３の傾斜面５９は水面に対して傾斜しており、傾斜面５９は、貯留槽１１の被処理水の流れの方向に沿っている。また、左右方向には少なくとも２つ（１対）の傾斜板１３が並設され、この１対の傾斜板１３が反対方向に傾斜してＶ字状となり、Ｖ字の谷部では、傾斜板１３同士が接触せず、対の傾斜板１３の下側側縁１４同士は左右に離れて隙間を有している。
また本実施形態の仕切構造１には歩行部材２５が設けられている。歩行部材２５は、傾斜面５９の下部側であって、Ｖ字状となっている傾斜板１３のＶ字の谷部に位置している。そして、歩行部材２５は板状であって、板面を貫通させる開口２６を有して上下が連通し、板面を水平方向として支持部材２２に固定されている。
さらに、図５示すように、傾斜面５９が同じ方向に傾斜して上下方向に配置された傾斜板１３を備えて、前記歩行部材２５が該２つの傾斜板１３の間に位置している仕切構造１ａでもよい。かかる仕切構造１ａでは傾斜面５９の中途部分での歩行が可能となり、点検が容易となる。また、仕切構造１ａは、傾斜面５９の中途部分に歩行部材２５を有する２つの傾斜板１３が、Ｖ字状となって、上記した仕切構造１と同様に、Ｖ字状となっている傾斜板１３のＶ字の谷部にも歩行部材２５が設けられている。
【００３０】
傾斜板１３の構造は、図７に示されるものであり、複数の板部材１３ａと枠部材１３ｂにより構成されている。なお、傾斜板１３には図７に示されるような板部材１３ａの合わせ目があるが、図１〜３においては、板部材１３ａの合わせ目を示していない。
そして、枠部材１３ｂを略格子状に組み合わせた後、板部材１３ａの側面を密着させるようにした状態で枠部材１３ｂに固定する。そして、傾斜板１３の全体としては、略板状である。また、傾斜板１３を貯留槽１１に取り付ける際には、枠部材１３ｂを略格子状に組み合わせた面を下側の状態で取り付けられる。傾斜板１３は、上記のように構成されているので、工場などで傾斜板１３を組み立てた後、貯留槽内部で搬入して設置する際に移動作業がしやすく、また、傾斜板１３を設置の際、傾斜板１３の固定箇所が少なくてすむので、貯留槽の仕切構造の設置作業が容易となる。さらに、傾斜板１３の上側は傾斜面５９となり、傾斜面５９は平面状であり、浮遊物が沈殿して傾斜板１３上をスムーズに移動するので、沈殿物が溜まりにくい。
【００３１】
歩行部材２５の構造は、図８に示され、いわゆるグレーチングと呼ばれる棒状又は板状の金属や樹脂などを格子状に結合させたものである。そして、歩行部材２５の形状は、長方形の長尺状板状である。また、歩行部材２５の格子の間は空間を有し、表面と裏面は連通させる開口２６となる。
本実施形態では、歩行部材２５を特に製作することなく、市販されているグレーチングを用いることができるので、仕切構造１を容易に施工できる。
【００３２】
複数の梁２０は、長尺状であり、その長尺方向は左右方向に水平である。そして、各梁２０は貯留槽１１の壁面と接続し、各梁２０の深さ方向の位置は同じである。また、各梁２０の中央付近の上側に、支持部材２２が設置され、支持部材２２は貯留槽１１に固定されている。支持部材２２は長尺状であり、その長尺の向きは主流方向に向いており、貯留槽１１の主流方向の一端側から他端側までの全長にわたって設けられている。
前記した傾斜板１３及び歩行部材２５は、支持部材２２により固定され貯留槽１１の内部に固定される。そして、支持部材２２によって、傾斜板１３及び歩行部材２５を、主流方向の全長にわたって設置することができる。
【００３３】
傾斜板１３は、下側側縁１４と支持部材２２の長尺方向とが平行となるように支持部材２２に固定され、さらに傾斜板１３の上側側縁１５は、貯留槽１１の壁面に固定される。そして、傾斜板１３は傾斜状態で固定される。また、支持部材２２はその左右方向の両側で、傾斜板１３を固定することができるので、左右両側の対となる傾斜板１３は支持部材２２を挟んだ状態で固定できる。また、図４に示されるように、前記対の傾斜板１３は反対方向に傾斜するので主流方向から見るとＶ字状となる。傾斜板１３は主流方向に平行であり、傾斜面５９の傾斜角度は水面と約４５°である。
歩行部材２５は支持部材２２の上側に位置し、前記した対の傾斜板１３の下側側縁１４同士の隙間に位置している。したがって、図４に示されるように、仕切構造１を主流方向からみると、対の傾斜板１３と歩行部材２５によって、貯留槽１１の上層１８と下層１９を仕切っている。歩行部材２５の開口２６は深さ方向に向いており、貯留槽１１の上層１８と下層１９を連通させる開口となっている。また、歩行部材２５の板面は水平方向に設置されている。
さらに、歩行部材２５は、図５に示されるように、Ｖ字状に配置した傾斜板１３の中段又は下段に配置することも出来る。
【００３４】
貯留槽１１を使用し、被処理水が上流側流入口６１から流入して、下流側排出口６２から排出される間に、被処理水の浮遊物が分離される。すなわち、上流側流入口６１から流入して貯留槽１１の上層１８に流れ込む。上層１８に流れ込んだ被処理水の浮遊物は、被処理水の流れ方向に進みながら、徐々に沈殿して下側に移動する。そして、浮遊物は、仕切構造１の傾斜板１３に至ると、傾斜に沿ってさらに下側に移動し、傾斜板１３の下側側縁１４付近まで移動する。したがって、沈殿した浮遊物は傾斜板１３のＶ字の谷部に集められる。さらに浮遊物は歩行部材２５付近に至るが、歩行部材２５には開口２６を有しているので、浮遊物は開口２６を通って下層１９に至り、被処理水から分離される。また、一旦沈殿した浮遊物は、傾斜板１３により、上層１８側の被処理水の流れなどにより起こる巻き上がり等が発生せず、浮遊物が再び上層１８に戻ることはなく、下流側排出口６２から排出されない。
また、貯留槽１１内部の点検等の際には、歩行部材２５上を歩行することができるので、容易に点検・修理ができる。すなわち、歩行部材２５は、板状であり板面を水平方向に設けられているので、人が歩行可能である。
【００３５】
さらに、第１の実施形態における仕切構造１を詳しく説明する。
仕切構造１の支持部材２２は、図６に示されるように、本体部２３と、複数のリブプレート部２４を有している。
本体部２３は断面がＣ型である２本の長尺部材２３ａを複数の結合部２７で結合したものある。そして、本体部２３は、長尺部材２３ａの前記Ｃ型の開口部側を外向きの状態で固定され、２本の長尺部材２３ａ同士は平行であり、左右対称の状態で結合している。なお、結合部２７は、後述するリブプレート部２４とほぼ同じ位置に設けられ、図３に示されるように所定の間隔で設けられている。
リブプレート部２４は板状の部材であり、図３に示されるように、主流方向、すなわち支持部材２２の長手方向に所定の間隔ごとに複数設けられている。また、リブプレート部２４は、図６に示されるように、本体部２３の左右方向の外側に設けられ、傾斜板保持部２８を有している。傾斜板保持部２８は、断面Ｌ型であってＬ型の開口部が上向きの状態で設けられ、傾斜板１３の下側側縁１４と固定し、傾斜板１３は支持部材２２により保持し固定される。
【００３６】
支持部材２２は上記のように構成されているので、複雑な構造を必要とせず容易に施工することができ、また、傾斜板１３を確実に固定することができる。なお、本実施形態では、支持部材２２はステンレス鋼を用いているが、これに限らず他の金属であっても良く、また樹脂などの非金属であっても良い。
【００３７】
傾斜板１３の素材は特に限定されず、木材、塩化ビニル樹脂やアクリル樹脂等の硬質プラスチック、繊維強化プラスチック（ＦＲＰ）、ＳＵＳ製板等の金属板などを用いることができるが、浸水時に大きな浮力を受けることによって梁２０や支持部材２２などの支持躯体の負荷を軽減できることから、水より比重が軽い素材が好ましく、更に、易施工性をも有する点で木材が好ましい。木材は、天然材や合成木材の何れでもよいが、施工性や水による腐食を防止できる点から、軽量で且つ耐食性を有する樹脂が好ましい。
【００３８】
さらに、傾斜板１３の素材は、繊維維強化樹脂であり、発泡樹脂が好ましい。発泡樹脂の種類としては、例えば、ウレタン樹脂、エポキシ樹脂、ビニルエステル樹脂、不飽和ポリエステル樹脂、フェノール樹脂等の熱硬化性樹脂であって硬質のものが好適に使用される。なお、発泡樹脂中に、圧縮強度の向上や低コスト化を図るために、炭酸カルシウム、石膏、タルク、水酸化アルミニウム、クレー等の無機充填材や、シラスバルーン、パーライト、ガラスバルーン等の軽量骨材が添加されていてもよい。
また、発泡体を補強する繊維としては、例えば、ガラス繊維、炭素繊維、金属繊維等の無機質繊維、天然繊維、合成繊維等の有機質繊維のいずれであってもよいが、強度や経済性の面からガラス繊維が適している。ガラス繊維としては、ガラスロービング、ガラスロービングクロス、ガラスマット、コンティニュアスストランドマット等の形態のものが挙げられる。この繊維は単独で使用してもよいし、二層以上積層してもよく、また、長繊維と短繊維を混ぜて使用してもよい。なお、ガラス長繊維を長手方向に引き揃えて補強繊維とした、ガラス長繊維強化硬質ウレタン発泡体（例えば、積水化学工業株式会社製、商品名「エスロンネオランバーＦＦＵ」など）を採用するのが、軽量化、耐久性および加工性の確保のために最も好ましい。
【００３９】
また、傾斜板１３の傾斜面５９は、異物の移動性及び被処理水の整流効果の点から平滑面に形成されている。更に、傾斜板１３の表面にフィルムを貼着したり或いはＦＲＰ樹脂などの樹脂を被覆するなどの手段によって、傾斜板１３の表面に異物に対する抵抗が小さいオーバーコート層を設けることが、傾斜板１３の表面の平滑性をより高めることができるので好ましい。
【００４０】
上記した第１の実施形態における仕切構造１の梁２０は、比較的強度を有する素材、例えば、コンクリート、鉄骨、木材などの素材で構成することができるが、傾斜板１３などの仕切構造材を根本的に支持するものであって浸水するものであるため、コンクリートで構成することが好ましい。
また、梁２０の長尺の方向は、左右方向に平行な方向であったが、これに限らず上下方向、左右方向、深さ方向のいずれの方向に傾斜を有しても良い。
【００４１】
また、歩行部材２５及び傾斜板１３と、支持部材２２との固定は、必要に応じて、締結具６３や接着剤が使用される。締結具６３はＳＵＳ３０４製ボルトなどの防錆性を有するものを用いることが好ましく、接着剤はエポキシ系接着剤などを用いることができる。
【００４２】
また、本発明の第２の実施形態として、図９　〜１２に示されるような仕切構造２も採用することができる。そして、仕切構造２は、歩行部材２５の下側に集積部材３９を設けたものであり、その他の部分は、第１の実施形態における仕切構造１と同様である。
そして、傾斜板１３には切り欠き部５０が設けられ、上層１８と下層１９が連通している。
【００４３】
図１２　は、第２の実施形態における仕切構造２を、部分的に拡大して図示したものである。仕切構造２の支持部材３６の下側には集積部材３９が設けられている。集積部材３９は、案内板４４と漏斗受け部３８から成っている。案内板４４は、支持部材３６の２本の長尺部材２３ａの間に設けられ、水平面に対して緩やかな傾斜を持つ長尺の板状である。案内板４４には集積用開口４０を有し、案内板４４と漏斗受け部３８は、集積用開口４０で接続している。
図１０　に示されるように、案内板４４の傾斜は主流方向に傾斜しており、前記傾斜の方向は一定の間隔で傾斜方向が反対方向となり、複数の略山形状となっている。そして、集積用開口４０は案内板４４の傾斜の谷部付近に設けられ、案内板４４の傾斜方向は、集積用開口４０に向かって傾斜している。集積用開口４０同士の間の案内板４４は、略山形状となっている。
【００４４】
貯留槽内を被処理水が流れると、第１の実施形態における仕切構造１と同様に、浮遊物が沈殿して傾斜板１３上を傾斜しながら下に移動し、歩行部材２５に至る。そして、本実施形態では、浮遊物は歩行部材２５の開口２６を通過した後に集積部材３９に至る。集積部材３９の案内板４４には傾斜を有しているので、浮遊物は傾斜に沿って下に移動し、集積用開口４０に至る。そして、浮遊物は集積用開口４０より、さらに沈殿し、漏斗受け部３８内を通過して、下層１９に移動する。すなわち、図１１　の点線の矢印のように浮遊物が移動する。
そして、仕切構造２を使用した場合には、全面で沈殿する被処理水の浮遊物を漏斗受け部３８の下側周辺にのみ集めることができる。また、集積部材３９においては上層１８と下層１９を連通する部分は集積用開口４０及び切り欠き部５０であるので、一旦下層１９側に沈殿した浮遊物が、再び上層１８に戻りにくい。
【００４５】
本発明の第３の実施形態として、図１３〜１５に示される仕切構造３も採用することができる。そして、仕切構造３は、傾斜板４７の構造が異なるものであり、その他の部分は、本発明の第２の実施形態の仕切構造２と同様である。
【００４６】
本発明の第３の実施形態における仕切構造３の傾斜板４７は複数の開口４８と複数の切り欠き部５０を有している。開口４８及び切り欠き部５０は傾斜板４７を貫通しており、開口４８及び切り欠き部５０においては、被処理水や浮遊物は通過することができる。
傾斜板４７は、開口４８及び切り欠き部５０が設けられている板部材４７ｃと、開口４８及び切り欠き部５０が設けられていない板部材４７ａを交互に合わせて、第１の実施形態における傾斜板１３のように、枠部材（図示せず）に固定されて製作される。
【００４７】
開口４８の形状は、一辺が板部材４７ｃの幅よりやや小さい略正方形状であり、切り欠き部５０は主流方向に長いスリット状である。そして、開口４８の位置は、傾斜板４７の深さ方向の中途部であり、主流方向に所定の間隔で配置されている。また、切り欠き部５０は、傾斜板４７の上端であり、開口４８と同じ位置に設けられている。さらに、図１３示されるように、開口４８及び切り欠き部５０は、左右方向に対称の位置に設けられている。
【００４８】
そして、仕切構造３を使用した場合には、被処理水の浮遊物をより分離することができる。すなわち、傾斜板４７の裏側を上昇する被処理水の流れが発生し、その間に浮遊物が沈殿して、浮遊物の少ない被処理水が開口４８又は切り欠き部５０から上層１８に移動するので、効果的に浮遊物を分離する。なお、図１５に、被処理水と浮遊物の想定される動きを示しており、実線の矢印が処理水の流れ、破線の矢印が浮遊物の沈殿の様子である。
本実施形態においては、傾斜板４７と歩行部材２５との間には隙間３５ｂが設けられている。そして、隙間３５ｂは上層１８と下層１９を連通させる開口となるものであり、貯留槽を使用した場合には浮遊物が通過することができる。
【００４９】
本発明の第４の実施形態として、図１６〜１８に示される仕切構造４も採用することができる。そして、仕切構造４は仕切構造１と比較して、歩行部材の構造と傾斜板の開口と切り欠きを有する点が異なるものであり、その他の構成については、仕切構造１と同様である。
【００５０】
本発明の第４の実施形態における仕切構造４の歩行部材３５は、図１６に示されるような、スリット状の開口３５ａが設けられた板状である。そして、開口３５ａは板面の表と裏を貫通して仕切構造４においては、上下連通開口となる。また、この開口３５ａの大きさは、歩行の際には人が落ちることがなく、浮遊物が通過できる程度の大きさである。
したがって、本発明の第４の実施形態の仕切構造４においても、第１の実施形態における仕切構造１と同様に、傾斜板５２により傾斜板５２のＶ字の谷部に集められ歩行部材３５に至った浮遊物は、開口３５ａから下層１９に移動することができるので、浮遊物の分離を行うことができる。また、歩行部材３５の上を歩行することができるので、歩行部材３５の上を歩いて点検修理を行うことができる。
【００５１】
また、傾斜板５２と歩行部材３５との間には隙間３５ｂが設けられている。そして、隙間３５ｂは上層１８と下層１９を連通させる開口となるものであり、貯留槽を使用した場合には浮遊物が通過することができる。そして、歩行部材３５の開口３５ａが設けずに、隙間３５ｂを上下を連通させる開口とすることもできる。
【００５２】
また、仕切構造４の傾斜板５２には、第３の実施形態の傾斜板４７のように、傾斜板５２を貫通複数の開口４８と複数の切り欠き部５０を有するものである。傾斜板５２は、開口４８及び切り欠き部５０が設けられている板部材５２ｃと、開口４８及び切り欠き部５０が設けられていない板部材５２ａを交互に合わせて、枠部材（図示せず）に固定されて製作される。
【００５３】
開口４８の形状は、板部材５２ｃの幅よりやや小さい一辺の略正方形状であり、切り欠き部５０は主流方向に長いスリット状である。そして、開口４８の位置は、傾斜板５２の深さ方向の中途部であり、主流方向に所定の間隔で配置されている。また、切り欠き部５０は、傾斜板５２の上端であり、開口４８と同じ位置に設けられている。さらに、図１６示されるように、開口４８及び切り欠き部５０の位置は、第３の実施形態と異なり、左右方向に対称ではなく、左右方向にずれて位置している。
そして、仕切構造４を使用した場合にも仕切構造３と同様に、図１８に示されるように、傾斜板５２の裏側を上昇する被処理水の流れにより、被処理水の浮遊物をより効率的に分離できることができる。
【００５４】
さらに、歩行部材とその支持構造として、本発明の第４の実施形態を変形した図１９，２０に示される仕切構造４ａも用いることができる。
すなわち、仕切構造４ａには歩行部材４９と山型支持部材４９ａを有している。歩行部材４９は開口を有して主流方向に長い長尺状であり、上面は水平であり、上面の上を歩行することができる。そして、歩行部材４９はいわゆるグレーチングより構成されて、山型支持部材４９ａの上で支持されている。山型支持部材４９ａは長尺状の部材であり、上方が凸状となっているので浮遊物が溜まることがない。さらに、山型支持部材４９ａは梁２０の上に設置され固定される。
仕切構造４ａの使用の際、浮遊物が沈殿した場合には、歩行部材４９と山型支持部材４９ａに浮遊物が溜まることが無く、スムーズに下層１９に沈殿する。また、歩行部材４９のグレーチングの代わりに、ワイヤーを網状としたものなどを用いることができ、さらに、上側が歩行できて開口を有するものであればどのようなものでも構わない。このスリット４６の向きは、傾斜板の傾き方向でも、又、傾き方向と直角方向であってもよい。
上記した、仕切構造４ａの歩行部材４９及び山型支持部材４９ａの構造は、本発明の他の実施形態に用いることができる。
【００５５】
前記した仕切構造３，４は、傾斜板に開口４８と切り欠き部５０を有するものであったが、図２１に示される仕切構造５のように開口４８のみ有する構造でも良く、また図２２に示される仕切構造６のように切り欠き部５０のみ有する構造でもよい。さらに、図２３に示される仕切構造７のように、傾斜板の中途部に複数のスリット４６を有する構造でも良い。
上記の仕切構造５，６，７でも、傾斜板の裏側に上昇する被処理水の流れが発生して、浮遊物の沈殿が効果的に分離する。
さらに、開口４８及び切り欠き部５０の大きさ・配置は上記した実施形態と異なっていても良く、また複数有していても良い。
【００５６】
また、上記した実施形態においては、貯留槽１１に梁２０を有し、梁２０の上に設けられた支持部材２２により、傾斜板や歩行部材２５を固定するものであったが、図２４に示される仕切構造８のように、壁面２１に固定された枠組部材５５によって、傾斜板１３を固定する仕切構造でもよい。
枠組部材５５は、斜辺部５８が傾斜板１３と同じ角度の傾きである直角三角形状の外枠部材５６と、前記外枠部材５６の変形を防止する筋交い５７が設けられている。また、必要に応じて、外枠部材５６と筋交い５７の接合部に当て板６０を設けて、変形に対する強度を高めることもできる。そして、枠組部材５５と壁面２１が固定され、さらに、傾斜板１３は枠組部材５５の斜面部５８に固定されている。なお、歩行部材２５は、傾斜板１３のＶ字状の谷部で、枠組部材５５に固定されている。
仕切構造８では、貯留槽に梁２０がなくても、仕切構造を設けることができる。
【００５７】
また、上記した仕切構造の仕切構造には、傾斜板を深さ方向に１枚だけ設けたものであったが、図２５に示される仕切構造９のように傾斜板１３を深さ方向に２枚以上に並設し、複数設けられている部分を有していても良い。そして、傾斜板１３が深さ方向に２枚以上設けられると、上層１８における被処理水の流れによる浮遊物の巻き上がりが少なくなるので、浮遊物が分離しやすくなる。
さらに、貯留槽の左右方向の幅が長い場合には、図２６に示される仕切構造１０のように、Ｖ字状とした１対の傾斜板１３を幅方向に２組以上（傾斜板１３を４枚以上）設置してもよい。そして、この場合には、それぞれの傾斜板１３のＶ字状の谷部に歩行部材２５を設けることができる。
【００５８】
また、貯留槽の上流側流入口６１付近に多数の通孔を有する整流板を設け、被処理水の流れを整流して、貯留槽内で乱流が生じることを防止する仕切構造とすることもできる。
【００５９】
【発明の効果】
本発明は、上述の通り構成されているので、被処理水に混入する浮遊物の沈殿させながら、歩行部材の上を歩行することで、貯留槽の内部の点検・修理を容易に行うことができる。
【図面の簡単な説明】
【図１】本発明の第１の実施形態における仕切構造を拡大した斜視図である。
【図２】本発明の第１の実施形態における仕切構造の上側から見た正面図である。
【図３】図２におけるＡ−Ａ面での断面図である。
【図４】本発明の第１の実施形態における仕切構造の横断面図である。
【図５】本発明の第１の実施形態における仕切構造の他の横断面図である。
【図６】本発明の第１の実施形態における支持部材の一部を示した斜視図である。
【図７】本発明の傾斜板の正面図である。
【図８】本発明の第１の実施形態における仕切構造の歩行部材の正面図である。
【図９】本発明の第２実施形態における仕切構造の上側から見た正面図である。
【図１０】図９におけるＡ−Ａ面での断面図である。
【図１１】本発明の第２の実施形態における仕切構造の横断面図である。
【図１２】本発明の第２の実施形態における支持部材及び集積部材の一部を示した斜視図である。
【図１３】本発明の第３実施形態における仕切構造の上側から見た正面図である。
【図１４】図１３におけるＡ−Ａ面での断面図である。
【図１５】本発明の第３の実施形態における仕切構造の横断面図である。
【図１６】本発明の第４実施形態における仕切構造の上側から見た正面図である。
【図１７】図１６におけるＡ−Ａ面での断面図である。
【図１８】本発明の第４の実施形態における仕切構造の横断面図である。
【図１９】本発明の第４の実施形態の変形例における仕切構造の横断面図である。
【図２０】本発明の第４の実施形態の変形例における仕切構造の歩行部材と山型支持部材を示した斜視図である。
【図２１】本発明の第５の実施形態における仕切構造の横断面図である。
【図２２】本発明の第６の実施形態における仕切構造の横断面図である。
【図２３】本発明の第７の実施形態における仕切構造の横断面図である。
【図２４】本発明の第８の実施形態における仕切構造の横断面図である。
【図２５】本発明の第９の実施形態における仕切構造の横断面図である。
【図２６】本発明の第１０の実施形態における仕切構造の横断面図である。
【図２７】従来技術における貯留槽の斜視図である。
【図２８】従来技術における貯留槽の斜視図である。
【符号の説明】
１，１ａ，２，３，４，４ａ，５，６，７，８，９，１０　仕切構造
１１　貯留槽
１３，４７，５２　傾斜板
２６，３５ａ，４８　開口
２５，３５，４９　歩行部材
３９　集積部材
４０　集積用開口
４４　案内板
４９ａ　山型支持部材
５９　傾斜面
６１　上流側流入口
６２　下流側排出口
【図１】
2004105860.tif 000003
【図２】
2004105860.tif 000004
【図３】
2004105860.tif 000005
【図４】
2004105860.tif 000006
【図５】
2004105860.tif 000007
【図６】
2004105860.tif 000008
【図７】
2004105860.tif 000009
【図８】
2004105860.tif 000010
【図９】
2004105860.tif 000011
【図１０】
2004105860.tif 000012
【図１１】
2004105860.tif 000013
【図１２】
2004105860.tif 000014
【図１３】
2004105860.tif 000015
【図１４】
2004105860.tif 000016
【図１５】
2004105860.tif 000017
【図１６】
2004105860.tif 000018
【図１７】
2004105860.tif 000019
【図１８】
2004105860.tif 000020
【図１９】
2004105860.tif 000021
【図２０】
2004105860.tif 000022
【図２１】
2004105860.tif 000023
【図２２】
2004105860.tif 000024
【図２３】
2004105860.tif 000025
【図２４】
2004105860.tif 000026
【図２５】
2004105860.tif 000027
【図２６】
2004105860.tif 000028
【図２７】
2004105860.tif 000029
【図２８】
2004105860.tif 000030